(57)【要約】【課題】利用者が電子番組表等からリアルタイムに番組を鑑賞すべき時刻を取得したり、利用者がリアルタイムに番組を鑑賞する時刻を指定することなく、また、利用者が手動でタイムシフト再生の再生速度を調節することなく、リアルタイムに番組を鑑賞すべき時刻までにタイムシフト再生を完了できるようにする。【解決手段】通信部２０１は、番組をリアルタイムに鑑賞することが推奨される時刻である盛り上がり時刻が示される情報を受信する。入力部２０２は、番組のタイムシフト再生の開始指示を入力する。再生速度決定部２０４は、開始指示が入力された際に、盛り上がり時刻までに番組のタイムシフト再生が完了し盛り上がり時刻に番組をリアルタイムに鑑賞することが可能なタイムシフト再生の再生速度を決定する。再生処理部２０８は、再生速度決定部２０４により決定された再生速度にて番組のタイムシフト再生を行う。【選択図】図１
2015115859.tif 000002
【特許請求の範囲】
【請求項１】
番組のタイムシフト再生を行うタイムシフト再生装置であって、
前記番組をリアルタイムに鑑賞することが推奨される時刻であるリアルタイム鑑賞推奨時刻が示されるリアルタイム鑑賞推奨時刻情報を受信する受信部と、
前記番組のタイムシフト再生の開始指示を入力する入力部と、
前記入力部により前記開始指示が入力された際に、前記リアルタイム鑑賞推奨時刻情報に示される前記リアルタイム鑑賞推奨時刻までに前記番組のタイムシフト再生が完了し前記リアルタイム鑑賞推奨時刻に前記番組をリアルタイムに鑑賞することが可能なタイムシフト再生の再生速度を決定する再生速度決定部と、
前記再生速度決定部により決定された再生速度にて前記番組のタイムシフト再生を行う再生処理部とを有することを特徴とするタイムシフト再生装置。
【請求項２】
前記再生速度決定部は、
前記入力部による前記開始指示の入力時刻と、前記番組の開始時刻と、前記リアルタイム鑑賞推奨時刻とを用いて、タイムシフト再生の再生速度を決定することを特徴とする請求項１に記載のタイムシフト再生装置。
【請求項３】
前記再生速度決定部は、
（リアルタイム鑑賞推奨時刻−番組の開始時刻）÷（リアルタイム鑑賞推奨時刻−開始指示の入力時刻）を計算し、計算により得られた値をタイムシフト再生の再生速度とすることを特徴とする請求項２に記載のタイムシフト再生装置。
【請求項４】
前記受信部は、
複数のリアルタイム鑑賞推奨時刻が示されるリアルタイム鑑賞推奨時刻情報を受信し、
前記再生速度決定部は、
前記複数のリアルタイム鑑賞推奨時刻のうちのいずれかのリアルタイム鑑賞推奨時刻を選択し、
選択したリアルタイム鑑賞推奨時刻までに前記番組のタイムシフト再生が完了し前記選択したリアルタイム鑑賞推奨時刻に前記番組をリアルタイムに鑑賞することが可能なタイムシフト再生の再生速度を計算し、
計算した再生速度を閾値速度と比較し、
計算した再生速度が前記閾値速度未満である場合に、計算した再生速度でタイムシフト再生を行うことを決定し、
計算した再生速度が前記閾値速度以上である場合に、前記選択したリアルタイム鑑賞推奨時刻よりも後の時刻のリアルタイム鑑賞推奨時刻を新たに選択し、新たに選択したリアルタイム鑑賞推奨時刻までに前記番組のタイムシフト再生が完了し前記新たに選択したリアルタイム鑑賞推奨時刻に前記番組をリアルタイムに鑑賞することが可能なタイムシフト再生の再生速度を計算することを特徴とする請求項１に記載のタイムシフト再生装置。
【請求項５】
前記受信部は、
前記番組のデータの送信元から送信された前記リアルタイム鑑賞推奨時刻情報を受信することを特徴とする請求項１に記載のタイムシフト再生装置。
【請求項６】
番組のタイムシフト再生を行うコンピュータに、
前記番組をリアルタイムに鑑賞することが推奨される時刻であるリアルタイム鑑賞推奨時刻が示されるリアルタイム鑑賞推奨時刻情報を受信する受信処理と、
前記番組のタイムシフト再生の開始指示を入力する入力処理と、
前記入力処理により前記開始指示が入力された際に、前記リアルタイム鑑賞推奨時刻情報に示される前記リアルタイム鑑賞推奨時刻までに前記番組のタイムシフト再生が完了し前記リアルタイム鑑賞推奨時刻に前記番組をリアルタイムに鑑賞することが可能なタイムシフト再生の再生速度を決定する再生速度決定処理と、
前記再生速度決定処理により決定された再生速度にて前記番組のタイムシフト再生を行う再生処理とを実行させることを特徴とするプログラム。
【発明の詳細な説明】
【技術分野】
【０００１】
本発明は、番組のタイムシフト再生を行うタイムシフト再生装置に関する。
【背景技術】
【０００２】
近年、ハードディスクドライブ等の記憶装置を搭載したパーソナルビデオレコーダにおいて、放送番組等の映像・音声を録画しながら、任意の時間遅延した映像位置を再生できるタイムシフト再生機能を備えたものが実現されている。
このタイムシフト再生機能により、視聴者は任意の録画映像において、再生の一時停止、早戻し、早送り等の操作により視聴したい場面を繰り返し再生することができる。
このタイムシフト再生機能は、現在放送している番組を視聴中に中座せざるを得ないが可能な限り早く視聴したい場合等に有用な機能である。
【０００３】
タイムシフト再生機能を用いた場合に常に放送に対して遅延した映像を視聴することになってしまうことに対して、これを改善するための技術が公開されている。
たとえば特許文献１では、利用者が次の番組が始まるまでに速やかにタイムシフト再生を終えられるようにすることを目的として、所望の番組の再生開始時間と番組の終了時間とから「何分で番組を見終わらなければならないか」を計算し、再生速度を変えて番組を再生することで、番組を所望の時刻までに視聴し終えられる技術が開示されている。
【０００４】
ところで、近年インターネットなどにおいて、撮影した映像を即座に配信して視聴者へ配信するライブ映像配信サービスが登場している。
ライブ映像配信サービスでは、多数の視聴者がリアルタイムで同時に同じ映像を見ながら、映像に対する感想をインターネット上に書き込みあうなど、同時に多数の視聴者が同じ映像を見ながら盛り上がることが重要視されている。
【先行技術文献】
【特許文献】
【０００５】
【特許文献１】特開２００３−１６９２７４号公報
【発明の概要】
【発明が解決しようとする課題】
【０００６】
しかし、従来技術では、リアルタイムの視聴が推奨される時刻をユーザが電子番組表から取得するかまたはリアルタイムの視聴を希望する時刻を利用者が指定することが想定されている。
リアルタイムに視聴すべき箇所がある場合には、当該箇所が配信される時刻までにタイムシフト再生を完了する必要があり、ユーザは手動でタイムシフト再生の再生速度を調節しなければならないという課題がある。
【０００７】
この発明は、上記のような課題を解決することを主な目的としており、利用者が電子番組表等からリアルタイムに番組を鑑賞すべき時刻を取得したり、利用者がリアルタイムに番組を鑑賞する時刻を指定することなく、また、利用者が手動でタイムシフト再生の再生速度を調節することなく、リアルタイムに番組を鑑賞すべき時刻までにタイムシフト再生を完了できるようにすることを主な目的とする。
【課題を解決するための手段】
【０００８】
本発明に係るタイムシフト再生装置は、
番組のタイムシフト再生を行うタイムシフト再生装置であって、
前記番組をリアルタイムに鑑賞することが推奨される時刻であるリアルタイム鑑賞推奨時刻が示されるリアルタイム鑑賞推奨時刻情報を受信する受信部と、
前記番組のタイムシフト再生の開始指示を入力する入力部と、
前記入力部により前記開始指示が入力された際に、前記リアルタイム鑑賞推奨時刻情報に示される前記リアルタイム鑑賞推奨時刻までに前記番組のタイムシフト再生が完了し前記リアルタイム鑑賞推奨時刻に前記番組をリアルタイムに鑑賞することが可能なタイムシフト再生の再生速度を決定する再生速度決定部と、
前記再生速度決定部により決定された再生速度にて前記番組のタイムシフト再生を行う再生処理部とを有することを特徴とする。
【発明の効果】
【０００９】
本発明では、リアルタイム鑑賞推奨時刻が示されるリアルタイム鑑賞推奨時刻情報を受信し、リアルタイム鑑賞推奨時刻情報に示されるリアルタイム鑑賞推奨時刻までに番組のタイムシフト再生が完了しリアルタイム鑑賞推奨時刻に番組をリアルタイムに鑑賞することが可能なタイムシフト再生の再生速度を決定し、決定した再生速度にて番組のタイムシフト再生を行う。
このため、利用者が電子番組表等からリアルタイムに番組を鑑賞すべき時刻を取得したり、利用者がリアルタイムに番組を鑑賞する時刻を指定することなく、また、利用者が手動でタイムシフト再生の再生速度を調節することなく、リアルタイムに番組を鑑賞すべき時刻までにタイムシフト再生を完了することができる。
【図面の簡単な説明】
【００１０】
【図１】実施の形態１に係るシステム構成例を示す図。
【図２】実施の形態１に係る録画再生装置の機能構成例を示す図。
【図３】実施の形態１に係る映像配信装置の機能構成例を示す図。
【図４】実施の形態１に係る録画再生装置の動作例を示すフローチャート図。
【図５】実施の形態１に係る盛り上がり時刻情報の例を示す図。
【図６】実施の形態１に係る録画再生装置の再生速度計算処理における動作例を示すフローチャート図。
【図７】実施の形態１に係る録画再生装置のハードウェア構成例を示す図。
【発明を実施するための形態】
【００１１】
実施の形態１．
本実施の形態では、例えば、視聴者がライブ映像の視聴を一旦中断した後にタイムシフト再生を行う時、ライブ映像の重要箇所（リアルタイムに視聴すべき箇所）までに自然かつ速やかにライブ映像の視聴に戻れるようにする構成を説明する。
【００１２】
図１は、本実施の形態に係るシステム構成例を示す。
【００１３】
図１において、録画再生装置１０１は、番組を録画し、録画した番組を再生する。
録画再生装置１０１は、番組録画と録画中の番組の再生を並行して行うタイムシフト再生が可能である。
録画再生装置１０１は、例えばＨＤＤ（Ｈａｒｄ  Ｄｉｓｋ  Ｄｒｉｖｅ）レコーダや、ネットワークに接続可能なＰＣ（Ｐｅｒｓｏｎａｌ  Ｃｏｍｐｕｔｅｒ）であってもよいし、他の機器であってもよい。
録画再生装置１０１はタイムシフト再生装置の例である。
映像配信装置１０３は、ネットワーク１０２を通じて録画再生装置１０１と接続され、録画再生装置１０１に番組の映像データ及び音声データを送信する。
ネットワーク１０２は、例えばインターネットやＮＧＮ（ネクストジェネレーションネットワーク）でもよい。
あるいは、地上波デジタル放送などの放送波をネットワークとみなしてもよい。
映像配信装置１０３は、例えばライブ映像などを撮影しつつネットワーク１０２へ配信するサーバＰＣなどでもよい。
あるいは、放送番組を提供する放送事業者の映像配信機器でもよい。
【００１４】
図１では、録画再生装置１０１はネットワーク上にひとつ存在するように示されているが、同様の装置がネットワーク上に複数あるようにシステムを構成してもかまわない。
【００１５】
図２は、図１で示した録画再生装置１０１の機能構成例を示すブロック図である。
また、図７は、録画再生装置１０１のハードウェア構成例を示すブロック図である。
【００１６】
図２において、通信部２０１は、映像配信装置１０３から、映像などのデータを受信する。
また、通信部２０１は、映像配信装置１０３から、盛り上がり時刻情報を受信する。
盛り上がり時刻情報は、盛り上がり時刻が示される情報である。
盛り上がり時刻は、番組が盛り上がると予測される時刻、すなわち、番組をリアルタイムに鑑賞することが推奨される時刻（リアルタイム鑑賞推奨時刻）である。
盛り上がり時刻情報は、リアルタイム鑑賞推奨時刻情報の例に相当する。
【００１７】
入力部２０２は、ユーザからの操作指示を入力する。
入力部２０２は、例えば、タイムシフト再生の開始指示を入力する。
【００１８】
出力部２０３は、ユーザへ情報を提示する。
【００１９】
再生速度決定部２０４は、タイムシフト再生時に、後述する方法によって再生速度を計算する。
【００２０】
記録処理部２０５は、通信部２０１から受信したデータを後述する映像ストリーム記憶部２０６及び盛り上がり時刻情報記憶部２０７へ格納する。
【００２１】
番組の映像データ及び音声データからなる映像ストリームを記憶する。
【００２２】
盛り上がり時刻情報記憶部２０７は、盛り上がり時刻情報を記憶する。
【００２３】
再生処理部２０８は、映像ストリーム記憶部２０６から映像ストリームを読み出して映像データ及び音声データの再生を行う。
また、再生速度決定部２０４によりタイムシフト再生の再生速度が決定された場合は、再生速度決定部２０４により決定された再生速度でタイムシフト再生を行う。
【００２４】
ここで、通信部２０１のハードウェア構成は、図７に示す通信装置９０４で実現される。
通信部２０１は、例えばイーサネット（登録商標）ポートや、無線ＬＡＮ（Ｌｏｃａｌ  Ａｒｅａ  Ｎｅｔｗｏｒｋ）カードのようにＬＡＮまたはインターネットに接続して映像配信装置１０３と通信できるインターフェースでもよい。
あるいは、同軸ケーブル端子のような放送波を受信するためのインターフェースでもよい。
【００２５】
入力部２０２のハードウェア構成は、図７に示す入出力装置９０５で実現される。
入力部２０２は、例えばリモートコントローラからの信号の受信装置でもよい。
また、キーボードとマウス及びＧＵＩ（Ｇｒａｐｈｉｃａｌ  Ｕｓｅｒ  Ｉｎｔｅｒｆａｃｅ）によるものであってもよい。
また、録画再生装置１０１に直接配置されているボタンやそれに類する入力装置であってもよい。
【００２６】
出力部２０３のハードウェア構成は、図７に示す入出力装置９０５で実現される。
出力部２０３は、例えば映像画面やユーザへ入力を促す画面を表示するためのモニタ装置とユーザへ入力を促す音声を出力するためのスピーカ装置とを組み合わせたものでもよい。
【００２７】
再生速度決定部２０４、記録処理部２０５及び再生処理部２０８は、例えばプログラムにより実現される。
再生速度決定部２０４、記録処理部２０５及び再生処理部２０８を実現するプログラムは、通常は図７の外部記憶装置９０２に記憶されており、主記憶装置９０３にロードされた状態で、順次演算装置９０１であるＣＰＵ（Ｃｅｎｔｒａｌ  Ｐｒｏｃｅｓｓｉｎｇ  Ｕｎｉｔ）に読み込まれ、実行される。
外部記憶装置９０２は、例えばＲＯＭ（Ｒｅａｄ  Ｏｎｌｙ  Ｍｅｍｏｒｙ）やフラッシュメモリ、ハードディスク装置である。
主記憶装置９０３は、ＲＡＭ（Ｒａｎｄｏｍ  Ａｃｃｅｓｓ  Ｍｅｍｏｒｙ）である。
更に、外部記憶装置９０２にはオペレーティングシステム（ＯＳ）も記憶されており、ＯＳの少なくとも一部が主記憶装置９０３にロードされ、演算装置９０１はＯＳを実行しながら、再生速度決定部２０４、記録処理部２０５及び再生処理部２０８を実現するプログラムを実行する。
なお、再生速度決定部２０４、記録処理部２０５及び再生処理部２０８は、それぞれ、専用のハードウェアによって実現されてもよい。
また、プログラムとハードウェアの２つを組み合わせたもので実現されてもよい。
【００２８】
映像ストリーム記憶部２０６と盛り上がり時刻情報記憶部２０７は、例えば外部記憶装置９０２である。
また、不揮発性の半導体メモリであってもよい。
【００２９】
なお、以下にて、「〜の判断」、「〜の判定」、「〜の取得」、「〜の決定」、「〜の設定」、「〜の計算」、「〜の選択」、「〜の生成」、「〜の受信」、「〜の入力」等として説明している処理の結果を示す情報やデータや信号値や変数値が主記憶装置９０３にファイルとして記憶される。
【００３０】
なお、図７の構成は、あくまでも録画再生装置１０１のハードウェア構成の一例を示すものであり、録画再生装置１０１のハードウェア構成は図７に記載の構成に限らず、他の構成であってもよい。
【００３１】
図３は、図１で示した映像配信装置１０３の構成例を示すブロック図である。
映像配信装置１０３のハードウェア構成も、例えば、図７に示すものと同様である。
【００３２】
図３において、通信部３０１は、録画再生装置１０１に対して映像などのデータを送信する。
また、通信部３０１は、録画再生装置１０１に対して盛り上がり時刻情報を送信する。
入力部３０２は、ユーザからの操作指示を入力する。
映像ストリーム記憶部３０３は、録画再生装置１０１に送信する映像ストリームを記憶している。
盛り上がり時刻情報記憶部３０４は、盛り上がり時刻情報を記憶している。
【００３３】
ここで、通信部３０１は通信部２０１と同様の構成でもよい。
入力部３０２も入力部２０２と同様の構成でもよい。
映像ストリーム記憶部３０３と盛り上がり時刻情報記憶部３０４は、例えばＨＤＤ（ハードディスクドライブ）である。
また、不揮発性の半導体メモリであってもよい。
また、映像ストリームは事前にはどこにも格納されておらず、ある時刻で撮影した映像をそのまま配信するようにしてもよい。
この場合の映像ストリーム記憶部３０３は、ストリーミング配信用のメモリで実現される。
【００３４】
次に動作について説明する。
図４は、本実施の形態における録画再生装置１０１の基本動作を示すフローチャート図である。
【００３５】
まず、ステップＳ４０１において、通信部２０１が映像ストリーム及び盛り上がり時刻情報の受信を開始する。
受信開始の指示は、入力部２０２によってユーザが入力してもよいし、特定の時刻になると録画再生装置１０１が自動的に受信を開始するようにしてもよい。
【００３６】
次に、ステップＳ４０２において、ユーザが入力部２０２を通じて指示することによって、記録処理部２０５が、受信している映像ストリーム及び盛り上がり時刻情報の映像ストリーム記憶部２０６及び盛り上がり時刻情報記憶部２０７への記録を開始する。
【００３７】
次に、ステップＳ４０３において、ユーザが入力部２０２を通じてタイムシフト再生を指示することによって、再生速度決定部２０４がタイムシフト再生の再生速度を計算する。
再生速度の計算方法は図６を用いて後述する。
【００３８】
次に、ステップＳ４０４において、ステップＳ４０３で計算された再生速度で、再生処理部２０８が現在記録中の映像ストリームを再生し、出力部２０３へ表示する。
【００３９】
最後に、ステップＳ４０５において、記録中の映像ストリームをすべて再生し終わった時点で、通信部２０１からの映像ストリームの表示へ切り替える。
【００４０】
図５は、図４のステップＳ４０１において録画再生装置１０１が受信する盛り上がり時刻情報の例を示す。
【００４１】
盛り上がり時刻情報は、あるコンテンツの映像ストリームに紐付けられた時刻の情報であり、そのコンテンツの中で視聴者が注目しやすい場面が配信される時刻、すなわち、そのコンテンツをリアルタイムに鑑賞することが推奨される時刻を表した情報である。
盛り上がり時刻情報はコンテンツに対して１つである必要はなく、複数あってもよい。
時刻欄５０１には、盛り上がり時刻が示されている。
時刻欄５０１には、少なくとも時刻の情報が含まれており、日付などの情報が付加されていてもよい。
内容欄５０２には、その時刻にどのような場面が配信されるかが記述されている。
内容欄５０２の情報は自由な文章でもよい。
また、内容欄５０２の情報は全くなくてもよい。
【００４２】
図６は図４のステップＳ４０３に示した、再生速度を計算する方法を示すフローチャート図である。
【００４３】
まず、ステップＳ６０１において、再生速度決定部２０４が現在時刻及び録画開始時刻を取得する。
次に、ステップＳ６０２において、再生速度決定部２０４が盛り上がり時刻情報より、未来の盛り上がり時刻をひとつ選択する。
例えば、最も早い盛り上がり時刻を選択する。
【００４４】
次に、ステップＳ６０３において、再生速度決定部２０４が（盛り上がり時刻−録画開始時刻）を（盛り上がり時刻−現在時刻）で割った値を再生速度として仮に決定する。
つまり、再生速度決定部２０４は、盛り上がり時刻までに番組のタイムシフト再生が完了し盛り上がり時刻に番組をリアルタイムに視聴することが可能なタイムシフト再生の再生速度を決定する。
【００４５】
次に、ステップＳ６０４において、ステップＳ６０３で仮に決定した再生速度が２未満であれば（Ｓ６０４でＹＥＳ）、ステップＳ６０３で仮決定した再生速度を正式に決定し、フローチャートを終了する。
ステップＳ６０３で仮に決定した再生速度が２以上であれば（Ｓ６０４でＮＯ）、ステップＳ６０２へ戻り、ここで選択したものと異なる盛り上がり時刻を選択する。
例えば、前回選択した盛り上がり時刻の次の盛り上がり時刻を選択する。
【００４６】
なお、ステップＳ６０４の判断に使用する再生速度の閾値速度は２である必要はなく、ユーザが映像及び音声を認識できる速度であれば別の値でもよい。
また、閾値速度をユーザに別途入力させてもよい。
【００４７】
以上のようにシステムを構成することで、本実施の形態では、ユーザがタイムシフト再生を行う際に、映像が盛り上がる時刻に間に合うような速度で録画映像を再生するようにすることで、ユーザは盛り上がり時刻までの映像をすべて見つつ盛り上がる場面を同じ映像を見ている他のユーザと一緒に楽しむことができるという利点がある。
【００４８】
実施の形態２．
以上の実施の形態１では、タイムシフト時の再生速度を図６のような方法で決定していたが、盛り上がり時刻と現在時刻から計算できる、他の方法によって決定するように構成してもよい。
【符号の説明】
【００４９】
１０１  録画再生装置、１０２  ネットワーク、１０３  映像配信装置、２０１  通信部、２０２  入力部、２０３  出力部、２０４  再生速度決定部、２０５  記録処理部、２０６  映像ストリーム記憶部、２０７  盛り上がり時刻情報記憶部、２０８  再生処理部、３０１  通信部、３０２  入力部、３０３  映像ストリーム記憶部、３０４  盛り上がり時刻情報記憶部。
【図１】
2015115859.tif 000003
【図２】
2015115859.tif 000004
【図３】
2015115859.tif 000005
【図４】
2015115859.tif 000006
【図５】
2015115859.tif 000007
【図６】
2015115859.tif 000008
【図７】
2015115859.tif 000009